(57)【要約】【課題】原稿搬送路を搬送される原稿が詰まって原稿搬送路内に取り残されたときに、簡易な操作を行うことで、その原稿搬送路内で詰まった原稿を損傷させることなく容易に取り除くことができる原稿搬送装置を提供する。【解決手段】原稿を収容する収容トレイと、収容トレイから原稿を送り出す送出部と、原稿の読み取りを行う読取部と、読取部を通過した後の原稿を排出する排出部と、送出部から読取部を経由して排出部に至るまでの区間に、原稿を搬送する駆動ロール及びそのロールに加圧下で接触して従動回転する１以上の従動ロールとで構成される複数のロール対を配置して設けられる原稿搬送路とを備え、収容トレイをその一箇所を支点として揺動させ得るように取り付けるとともに、収容トレイを一方向に揺動させる動作により複数のロール対におけるロール間の接触部をその接触圧が低減した状態又は離間した状態に保って開放する接触部開放機構を設けている。【選択図】図５
2009227440.tif 000002
【特許請求の範囲】
【請求項１】
原稿を収容する収容トレイと、収容トレイから原稿を送り出す送出部と、原稿の読み取りを行う読取部と、前記読取部を通過した後の原稿を排出する排出部と、前記送出部から前記読取部を経由して前記排出部に至るまでの区間に、原稿を搬送する駆動ロール及びそのロールに加圧下で接触して従動回転する１以上の従動ロールとで構成される複数のロール対を配置して設けられる原稿搬送路とを備え、
前記収容トレイをその一箇所を支点として揺動させ得るように取り付けるとともに、
前記収容トレイを一方向に揺動させる動作により前記複数のロール対におけるロール間の接触部をその接触圧が低減した状態又は離間した状態に保って開放する接触部開放機構を設けていることを特徴とする原稿搬送装置。
【請求項２】
前記送出部に、回転するロールと固定された接触部材とが接触して原稿を送り出す送出装置を配置し、
かつ、前記接触部開放機構が、前記収容トレイを一方向に揺動させる動作により前記送出装置のロールと接触部材との接触部を併せて開放することを特徴とする請求項１に記載の原稿搬送装置。
【請求項３】
前記複数のロール対が、前記読取部の直前の位置に配置されるロール対と排出ロール対を少なくとも含むことを特徴とする請求項１に記載の原稿搬送装置。
【請求項４】
前記送出部、読取部及び原稿搬送路を覆うとともに一箇所を支点として揺動して開閉するカバーを有し、
かつ、前記接触部開放機構が、前記カバーを開ける方向に揺動させる動作により前記接触部を開放する機構を有していることを特徴とする請求項１又は２に記載の原稿搬送装置。
【請求項５】
前記接触部開放機構が、前記収容トレイ又はカバーの一方を揺動させたときに、その他方は揺動しない状態に保たれる機構を有していることを特徴とする請求項４に記載の原稿搬送装置。
【請求項６】
前記接触部開放機構が、前記収容トレイ又はカバーの揺動運動を前記接触部の開放運動に変換して伝達するリンク機構で構成されていることを特徴とする請求項１又は４に記載の原稿搬送装置。
【発明の詳細な説明】
【技術分野】
【０００１】
この発明は、原稿搬送装置に関するものである。
【背景技術】
【０００２】
複写機、スキャナ、ファクシミリ等の原稿（画像）読取部を有する機器においては、読み取り情報が記録された文書等の原稿を所定の収容部に収容したうえで、原稿の読み取り部にむけて１枚ずつ送り出して搬送するとともに、その読み取り後の原稿を所定の排出部にむけて搬送する原稿搬送装置が使用されることがある。
【０００３】
このような原稿搬送装置としては、例えば、給紙トレイ部に載置された原稿を分離して略Ｕターン形状の原稿搬送路における第一の搬送方向に搬送するための第一回転駆動部材及びそれに当接する第一当接部材からなる分離・搬送手段と、その分離・搬送手段で搬送される原稿を前記原稿搬送路における第二原稿の搬送方向に反転して搬送するための第二回転駆動部材及びそれに当接する第二当接部材からなる反転搬送手段と、原稿搬送路の少なくとも一部を開放可能にするカバー部材とを備え、そのカバー部材を閉じたときには、そのカバー部材に配置された第一及び第二の当接部材が第一及び第二の回転駆動部材に弾力的に押圧され、そのカバー部材を開けたときには、第二の当接部材の少なくとも一部が第二の回転駆動部材から離間するように構成されているものが知られている（特許文献１）。
【０００４】
この他、自動原稿送り機構を備えた画像読取装置であるが、その自動原稿送り機構から排出された原稿を積み上げて保持するスタッカに原稿が蓄積されているときに、原稿トレイを上方向に持ち上げ保持するトレイ自動制御機構を備えたものが知られている（特許文献２）。
【特許文献１】特開２００５−２４７５７５号公報
【特許文献２】特開２００１−２３３４６１号公報
【発明の開示】
【発明が解決しようとする課題】
【０００５】
この発明は、原稿搬送路を搬送される原稿が詰まって原稿搬送路内に取り残されたときに、簡易な操作を行うことで、その原稿搬送路内で詰まった原稿を損傷させることなく容易に取り除くことができる原稿搬送装置を提供することを目的とするものである。
【課題を解決するための手段】
【０００６】
この発明（Ａ１）の原稿搬送装置は、
原稿を収容する収容トレイと、収容トレイから原稿を送り出す送出部と、原稿の読み取りを行う読取部と、前記読取部を通過した後の原稿を排出する排出部と、前記送出部から前記読取部を経由して前記排出部に至るまでの区間に、原稿を搬送する駆動ロール及びそのロールに加圧下で接触して従動回転する１以上の従動ロールとで構成される複数のロール対を配置して設けられる原稿搬送路とを備え、
前記収容トレイをその一箇所を支点として揺動させ得るように取り付けるとともに、
前記収容トレイを一方向に揺動させる動作により前記複数のロール対におけるロール間の接触部をその接触圧が低減した状態又は離間した状態に保って開放する接触部開放機構を設けているものである。
【０００７】
この発明（Ａ２）の原稿搬送装置は、上記発明Ａ１の原稿搬送装置において、
前記送出部に、回転するロールと固定された接触部材とが接触して原稿を送り出す送出装置を配置し、かつ、前記接触部開放機構が、前記収容トレイを一方向に揺動させる動作により前記送出装置のロールと接触部材との接触部を併せて開放するものである。
【０００８】
この発明（Ａ３）の原稿搬送装置は、上記発明Ａ１の原稿搬送装置において、
前記複数のロール対が、前記読取部の直前の位置に配置されるロール対と排出ロール対を少なくとも含むものである。
【０００９】
この発明（Ａ４）の原稿搬送装置は、上記発明Ａ１の原稿搬送装置において、
前記送出部、読取部及び原稿搬送路を覆うとともに一箇所を支点として揺動して開閉するカバーを有し、かつ、前記接触部開放機構が、前記カバーを開ける方向に揺動させる動作により前記接触部を開放する機構を有しているものである。
【００１０】
この発明（Ａ５）の原稿搬送装置は、上記発明Ａ４の原稿搬送装置において、
前記接触部開放機構が、前記収容トレイ又はカバーの一方を揺動させたときに、その他方は揺動しない状態に保たれる機構を有しているものである。
【００１１】
この発明（Ａ６）の原稿搬送装置は、上記発明Ａ１又はＡ４の原稿搬送装置において、
前記接触部開放機構が、前記収容トレイ又はカバーの揺動運動を前記接触部の開放運動に変換して伝達するリンク機構で構成されているものである。
【発明の効果】
【００１２】
上記発明Ａ１の原稿搬送装置によれば、収容トレイを一方向に揺動させることにより、原稿搬送路に配置されるロール対が開放された状態になり、原稿搬送路内で詰まった原稿を損傷させることなく容易に取り除くことができる。
【００１３】
上記発明Ａ２の原稿搬送装置では、収容トレイを一方向に揺動させることにより、排出部の送出装置におけるロールと接触部材との接触部も開放された状態になり、原稿搬送路内で詰まった原稿をさらに損傷させることなく容易に取り除くことができる。
【００１４】
上記発明Ａ３の原稿搬送装置では、収容トレイを一方向に揺動させることにより、原稿搬送路における読取部直前に配置のロール対と排出ロール対が開放された状態になり、原稿搬送路内で詰まった原稿をさらに破損させることなく容易に取り除くことができる。
【００１５】
上記発明Ａ４の原稿搬送装置では、収容トレイを一方向に揺動させることなくカバーを開ける方向に揺動させることによっても、原稿搬送路に配置されるロール対等の接触部が開放された状態になり、原稿搬送路内で詰まった原稿を破損させることなく容易に取り除くことができる。
【００１６】
上記発明Ａ５の原稿搬送装置では、収容トレイ又はカバーの一方を揺動させた際にその他方は揺動しないため、不要な動作を伴うことがなく、原稿搬送路内で詰まった原稿の取り除き作業を容易に行うことができる。
【００１７】
上記発明Ａ５の原稿搬送装置では、収容トレイ又はカバーを揺動させることにより、原稿搬送路内で詰まった原稿を破損させることなく容易に取り除くことができる状態を簡易に得ることができる。
【発明を実施するための最良の形態】
【００１８】
図１及び図２は、この発明の第１の実施形態に係る原稿搬送装置を示すものである。図１はその装置の基本構成を示し、図２はその装置の接触部開放機構を含めた状態を示している。
【００１９】
この原稿搬送装置１は、図１等に示すように、板状に形成されている支持台１０上に、用紙などに読み取り対象の情報が記録されているシート状の原稿９を収容する収容トレイ２と、収容トレイ２から原稿９を送り出す送出部３と、送出部３から送り出された原稿９の情報の読み取りを行う読取部４と、読取部４を通過した後の原稿９を排出する排出部５と、送出部３から読取部４を経由して排出部５に至るまでの区間に原稿９を搬送する原稿搬送路６とが設けられている。図１等において符合１７は、排出部５から排出される原稿９を積み重ねる状態で収容する排出収容部である。この排出収容部１７は、支持台１０の上部の一部を利用して形成した収容面で構成されている。また、図１等において符合１００は、原稿搬送装置１と組み合わせて使用される原稿読取装置（の本体）を示す。
【００２０】
収容トレイ２は、１枚又は複数枚の原稿９を載せて保持する保持面２１が形成された板状のトレイ本体２２で構成されている。
【００２１】
この収容トレイ２は、図１〜図３に示すように、そのトレイ本体２２の一端部２２ａが支持台１０のほぼ中央付近に配置される支持フレーム１１に支持軸２３を介して揺動自在に取り付けられており、そのトレイ本体の他端部２２ｂを矢印Ａ１，Ａ２方向に揺動して移動させることが可能になっている。また、この収容トレイ２は、その一端部２２ａが排出収容部１７から上方に離れた位置に配置され、その他端部２２ｂが排出収容部１７の上方に隙間をあけて存在するとともに少し傾斜した状態で保持されている。さらに、この収容トレイ２は、そのトレイ本体の一端部２２ａ側に送出部３に達して接続される状態に固定して設置されるトレイ延長部２４を備えている。
【００２２】
送出部３は、収容トレイ２のトレイ本体２１の一端部２１ａと対峙して接続される位置に形成される部分であり、収容トレイ２上の原稿９を１枚ずつ送り出す送出装置３１を配置して構成されている。
【００２３】
送出装置３１は、繰出しロール３２、搬送ロール３３及びパッド部材３４にて主に構成されている。繰出しロール３２は、収容トレイ２上の原稿９の上面に接離可能に接触して矢印で示す方向に回転することで原稿２を収容トレイ２から繰り出すものである。搬送ロール３３は、繰出しロール３２で繰り出される原稿２を矢印で示す方向に回転して搬送するものである。パッド部材３４は、搬送ロール３３に所定の圧力下で接触して接触部ＮＰ１を形成し、その接触部ＮＰ１の手前において繰出しロール３２で繰り出される原稿２のうち重なった状態で送られた分（重送された分）の原稿（下方に存在する原稿）を停止させて分離する重送防止用のパッドである。繰出しロール３２は、例えば、搬送ロール３３の回転軸と同心の軸を支点として点線の矢印で示す方向に揺動する揺動フレーム３５の先端部側に取り付けられている。繰出しロール３２及び搬送ロール３３は、不図示の回転駆動手段からの動力を受けて回転駆動する。
【００２４】
読取部４は、支持台１０の排出収容部１７とは反対側となる上部の位置に形成される部分である。読取部４は、原稿９の少なくとも片面に記録された読み取り情報（文字、画像など）を読み取る読取手段を実際に配置して構成されるか、又は、この原稿搬送装置２と組み合わせて使用する原稿（画像）読取装置１００側に設置されている読取手段による読み取り動作を実行するために原稿を通過させる読取通過手段を配置して構成される。
【００２５】
図１等に示す符合４１は、上記読取手段又は読取通過手段である。読取手段としては、例えば、原稿９を照明する照明手段と、原稿９からの反射光を光電変換して読み取るラインＣＣＤ（Charge Coupled Device）センサ等の撮像素子とを主に配置したものが適用される。また、読取通過手段としては、例えば、搬送される原稿９を安定して搬送する搬送空間を確保して形成する部材を配置したものが適用される。その部材は、例えば、原稿読取装置の本体上部にあるプラテンガラスの上方位置に配置され、原稿をそのプラテンガラスに対して一定の距離を保って原稿の上面側から押えることで原稿の走行を安定させる部材である。
【００２６】
排出部５は、支持台１０の排出収容部１７の一端部側と対峙する位置に形成される部分であり、排出口５１となる部位付近に排出ロール対５２を配置して構成されている。
【００２７】
排出ロール対５２は、２つのロール５３，５４が加圧下で接触して矢印で示す方向に回転する装置である。排出ロール対５２は、その一方のロールが不図示の駆動手段からの動力を受けて回転駆動する駆動ロールとして、その他方のロールが不図示の加圧手段で押されて一方のロールに接触して接触部ＮＰ２を形成しながら従動回転する従動ロールとして構成される。この実施形態では、ロール５３が駆動ロール、ロール５４が従動ロールになっている。
【００２８】
原稿搬送路６は、送出部３と読取部４の間を接続する第一搬送路６１と、読取部４と排出部５の間を接続する第二搬送路６２で主に構成されている。
【００２９】
第一搬送路６１は、送出部３と読取部４の間でほぼ湾曲（面）形状の通路として形成されており、その通路の空間を形成する（ほぼ上下）一対の通路形成部材６３ａ，６３ｂと、その通路途上で読取部４から所定の距離だけ手前側となる位置に設置されるレジロール対６５とで構成されている。レジロール対６５は、２つのロール６６，６７が加圧下で接触して矢印で示す方向に回転する装置であり、排出ロール対５２の場合とほぼ同様に、駆動ロールと従動ロールとで構成されている。この実施形態では、ロール６６が駆動ロール、ロール６７が従動ロールになっており、従動ロール６７が駆動ロール６６に所定の圧力で接触して接触部ＮＰ３を形成している。レジロール対６５は、回転を停止させた状態で送出部３から第一搬送路６１を通して搬送される原稿９をその送り先端部を接触部ＮＰ３で停止させた後、読取部４における読み取りタイミングに合わせて再回転させることにより原稿９を読取部４に送り出す搬送時期を調整する機能を有している。このレジロール対６５に代えて、原稿を搬送する機能のみを有し、上記搬送時期を調整する機能を有していないロール対を配置しても構わない。
【００３０】
第二搬送路６２は、読取部４と排出部５の間でほぼ直線（平面）形状の通路として形成されており、その通路の空間を形成する（上下）一対の通路形成部材６４ａ，６４ｂで主に構成されている。図１等において符合６９は、搬送される原稿が搬送路（通路形成部材）に触れることにより発生する摩擦力を低減するための搬送補助用のコロを示す。
【００３１】
原稿搬送装置１では、図１等に示すように、送出部３、読取部３、排出部５及び原稿搬送路６が、支持台１０に取り付けられる外装カバーで覆われている。送出部３の収容トレイ２との接続部と排出部５の排出口５１の部分は、外装カバーが配置されず、開口されている。外装カバーの上面部分のカバー１２は、支持台１０の排出収容部１７のある側とは反対側の端部において支持軸１３を支点として矢印Ｂ１，Ｂ２で示す方向に揺動して開閉されるように取り付けられた開閉カバーになっている。この開閉カバー１２は、原稿搬送路６の第一搬送路６１を形成する通路形成部材の一部（上方側に配置される部材）が一体に取り付けられたものにもなっている。このため、開閉カバー１２を開けた際には、送出部３とともに第一搬送路６１が外部に露出して視認できる状態になる（図７参照）。
【００３２】
このように構成される原稿搬送装置１は、以下のように作動して原稿の搬送を行う。なお、原稿搬送装置１が原稿読取装置と組み合わせて使用される構成になっている場合には、原稿搬送装置１はその読取装置の動作と同期して作動することになる。
【００３３】
収容トレイ２に読み取り対象の複数枚の原稿９を積み重ねた状態で載せた後に、動作開始指示（制御信号）を受けると、送出部３の送出装置３１によって収容トレイ２上の最上位にある原稿９から１枚ずつ原稿搬送路６の第一搬送路６１に送り出される。
【００３４】
この際、送出装置３１では、繰出しロール３２で収容トレイ２上の原稿９が複数枚重なり合った状態で搬送ロール３３とパッド部材３４の間の接触部ＮＰ１にむけて送られる。続いて、搬送ロール３３とパッド部材３４の間において、下方に位置する原稿がパッド部材３４により接触部ＮＰ１の手前で停止させられて最上位の原稿と分離された状態になるので、最上位の原稿のみが搬送ロール３３の搬送力を受けて接触部ＮＰ１を通過するように送り出される。
【００３５】
原稿搬送路６の第一搬送路６１に送り出された原稿９は、レジロール対６５で一旦停止させられた後、読取タイミングに合わせて読取部４に送られる。読取部４では、原稿９に記録されている情報の読み取りが行われる。また、原稿９は、読取部４を通過するように搬送される。この読取部４を通過するときの原稿９は、レジロール対６５と排出ロール対５２の少なくとも一方の接触部ＮＰ２，ＮＰ３に挟まれて保持された状態となることで搬送力を受けて搬送される。
【００３６】
読み取りが終了した原稿９は、レジロール対６５の搬送力を受けて読取部４から原稿搬送路６の第二搬送路６２を通して排出部５にむけて搬送される。排出部５に到達した原稿９は、排出ロール対５２の搬送力により排出口５１から排出され、最後に排出収容部１７に収容される。
【００３７】
また、この原稿搬送装置１では、原稿搬送路６を搬送中の原稿９がその搬送路内で詰まって取り残されることがある。この場合、その詰まった原稿９は、取り除く必要があるが、特に原稿搬送路６内に配置されたロール対５２、６５の接触部ＮＰ２，３に挟まれた状態やロール３３とパッド部材３４の接触部ＮＰ１に挟まった状態にあるときは、その各接触部における摩擦抵抗を受けるために引き抜きにくくなり、無理やりに引き抜こうとすると原稿９にしわや筋がついたり、その一部が破れる等の損傷を与えてしまうことがある。
【００３８】
そこで、この原稿搬送装置１においては、その詰まった原稿９の取り除き作業を行うために以下の接触部開放機構７を設けている。
【００３９】
接触部開放機構７は、収容トレイ２を上方に持ち上げる方向（矢印Ａ１の方向）に揺動させる動作を駆動源として、原稿搬送路６に配置されるロール対５２，６５のロール間の接触部ＮＰ１，２及びロール３３とパッド３４との間の接触部ＮＰ１をそれぞれ開放する機構である。ここで、各接触部ＮＰの開放とは、その接触部を構成するロールどうし又はロールとパッド部材どうしを離間させた状態に保持することとする。
【００４０】
この実施形態における接触部開放機構７は、図２に示すように、収容トレイ２の揺動運動を各接触部ＮＰ１〜３の開放運動に変換して伝達するリンク機構にて構成されている。その接触部開放機構７を構成するリンク機構は、収容トレイ２に設ける揺動アーム７１と、排出ロール対５２のロール５４、レジロール対６５のロール６７及びパッド部材３４をそれぞれ取り付けて揺動可能に支持する揺動支持材７２，７３，７４と、揺動アーム７１と揺動支持材７２，７３，７４とを接続して連結する連結アーム７６とを備えている。
【００４１】
揺動アーム７１は、収容トレイ２の支持軸２３から支持台１０と接近する側に直線的に延びる棒状のものであり、その支持軸２３を支点としてトレイ本体２１と一体に揺動するようになっている。揺動アーム７１は、収容トレイ２の一部として一体的に形成したものでも、あるいは、収容トレイ２とは支持軸２３に同軸上又は別の支持軸に取り付けられているだけで別体であって単に収容トレイ２と一体に揺動するように形成したものでもよい。３つの揺動支持材７２，７３，７４は、各固定支持軸７５ａ，７５ｂ，７５ｃを支点として揺動するように設けられるとともに、その各一端部７２ａ，７３ａ，７４ａに排出ロール対５２のロール５４、レジロール対６５のロール６７及びパッド部材３４をそれぞれ取り付けて支持している。
【００４２】
連結アーム７６は、揺動アーム７１の移動側端部７１ａと各揺動支持材７２，７３，７４の支持台１０に接近する側に延びる他端部７２ｂ，７３ｂ，７４ｂとにそれぞれ回転自在に取り付けられている（取り付けは、例えば軸とそれを通す軸孔との組み合わせで行われている）。
【００４３】
また、揺動アーム７１と連結アーム７６は、揺動アーム７１の揺動運動を連結アーム７６がほぼ水平の方向（矢印Ｃ１，Ｃ２で示す方向）に往復動する直線運動に変換して伝えるため揺動アーム７１に形成した長い長軸孔７１ｃを介して連結アーム７６（の軸）と接続されている。揺動支持材７２，７３，７４と連結アーム７６の間についても、必要に応じて長軸孔を介して接続すればよい。
【００４４】
揺動支持材７２，７３，７４は、Ｌ字形状のものと直線形状のものを使用している。しかし、揺動支持材７２，７３，７４の形状については、連結アーム７６の矢印Ｃ１で示す方向への移動を受けて各支持軸７５ａ，７５ｂ，７５ｃを中心にして回転したときに、排出ロール対５２のロール５４、レジロール対６５のロール６７及びパッド部材３４を接触相手のロール６６、５３、３３からそれぞれ離間する方向に移動（変位）させる動作を起こすことができるものであればよく、特に制限されるものではない。
【００４５】
また、揺動支持材７２，７３，７４は、平常時（原稿搬送時：非原稿取り除き作業時）は、排出ロール対５２のロール５４、レジロール対６５のロール６７及びパッド部材３４が接触相手のロール６６、５３、３３にそれぞれ接触する方向に揺動されるよう、不図示の押圧用バネ等の加圧手段により弾性的に押圧され続けた状態に保たれている。この実施形態における上記接触する方向は、各固定支持軸７５ａ，７５ｂ，７５ｃを中心としたときの反時計回りの方向となる。また、加圧手段は、各ロール５４，６６やパッド３４に装備されている加圧手段が兼用されるが、揺動支持材７２，７３，７４の一部を直接押す専用の加圧手段を採用してもよい。
【００４６】
接触部開放機構７における揺動アーム７１、揺動支持材７２，７３，７４及び連結アーム７６は、収容トレイ２の少なくとも一方の側面部２２ｃ（図４参照）側に存在するように設置される。また、固定支持軸７５ａ，７５ｂ，７５ｃについては、支持台１０に固定される支持フレーム１１（図３、図４参照）などに設けられる。
【００４７】
この他、収容トレイ２は、図３や図４に示すように、その上方向（矢印Ａ１の方向）に揺動したときに、所定の位置で停止した状態で固定されて保持される保持機構を備えている。この実施形態では、支持台１０に固定される支持フレーム１１（外装カバーの一部であってよい）の一部（例えば突出部１１ａ）において、原稿の排出収容時におけるトレイ本体２２の一部と対向し得る位置に位置固定用の貫通孔１５を設け、その一方で、トレイ本体２２の支点側端部２２ａに原稿排出収容時の固定位置を規定する第一突起部２４と原稿取り除き時の固定位置を規定する第二突起部２５を設けている。
【００４８】
第一突起部２４と第二突起部２５は、先端が半球形状の突起であり、貫通孔１５に嵌め入れられて引っ掛かるようになっている。また、第二突起部２５は、トレイ本体２２の下面から突出させた形状の突出片部２６の所定位置に形成されている。第一突起部２４と第二突起部２５は、収容トレイ２を揺動させたときに突起部の移動により支持フレーム１１の突出部１１ａが少し弾性変形させられることを利用して貫通孔１５から抜け出られるようになっているが、トレイ本体２２に出没移動し得る状態に取り付けておいてもよい。収容トレイ２は、平常時には、その第一突起部２４が位置固定用の貫通孔１５に嵌め入れられて原稿の排出収容時の固定位置に保持され、これにより前述したように全体が少し傾斜した状態に保たれる。
【００４９】
そして、このような接触部開放機構７は、以下のように作動する。
原稿搬送路６内に詰まった原稿９を取り除く作業が到来したときに、原稿搬送装置１の使用者が収容トレイ２を持ち上げた状態にする。つまり、図２に点線で示すように、収容トレイ２が、支持軸２３を支点として矢印Ａ１の方向に揺動し、その原稿排出収容時の固定位置から原稿取り除き時の固定位置に移動させられる（図３の上部に示す状態からその下部に示す状態に移る）。
【００５０】
この際、揺動アーム７１が、図２に点線で示すように収容トレイ２の矢印Ａ１方向への揺動に伴って、支持軸２３を支点として同じ方向（矢印Ａ１の方向：この例では反時計回りの方向）に揺動する。これにより、その揺動アーム７１に連結されている連結アーム７６が矢印Ｃ１で示すほぼ水平の方向に移動し、さらに、その連結アーム７６に連結されている３つの揺動支持材７２，７３，７４が各加圧手段の押す力に抗して固定支持軸７５ａ，７５ｂ，７５ｃを中心に矢印で示す方向（各ロール５２，６６やパッド部材３４から離間する方向：この例では反時計回りの方向）に揺動する。
【００５１】
この結果、図５に示すように、排出ロール対５２のロール５４、レジロール対６５のロール６７及びパッド部材３４が、その接触相手のロール６６、５３、３３からそれぞれ離間した状態となり、その各接触部ＮＰ（２，３，１）はすべて開放された状態になる。この各接触部ＮＰが開放された状態は、収容トレイ２が前記保持機構により保持されることで保持され続ける。（第二突起部２５が貫通孔１５に嵌め入れられて引っ掛けられて保持されること。図３の下部参照）
【００５２】
従って、原稿搬送路６に詰まったときの原稿９は、その搬送路６内における排出ロール対５２の接触部ＮＰ２、レジロール対６５の接触部ＮＰ３及び送出装置３１のロール３３とパッド部材３４の接触部ＮＰ１のいずれか１つ又は複数のものに挟まった状態であったとしても、接触部開放機構７によってその接触部ＮＰ１〜３のすべてが開放された状態にされるので、その詰まった原稿９の搬送路外部に露出している一端部を手で引っ張れば、その接触部ＮＰの挟みこみによる摩擦抵抗を受けることなく原稿搬送路６内から容易に引き出される。なお、詰まった原稿９が、送出装置３１の繰出しロール３２とトレイ延長部２４との間に挟まった状態にあったとしても、その繰出しロール３２が揺動フレーム３５に取り付けられているため上方（図５中の点線の矢印で示す方向）に揺動して変位する取り付け状態になっているので、その部分の挟まり状態は原稿の取り除きの際に大きな摩擦抵抗（支障）になることはない。
【００５３】
このようなことから、その詰まった原稿９は、不要な折れ曲がりや筋がついたり、破れたりする等の損傷を受けることなく容易に取り除かれる。
【００５４】
ちなみに、原稿９が小さいサイズ（例えば、その搬送方向の長さが原稿搬送路６の全長よりも短いもの）のものである場合に、その原稿９が詰まったときに送出部３側と排出部５（排出口５１）の双方から突出しておらず搬送路外部に露出した状態になっていないこともある。この場合は、例えば、開閉カバー１２を開けることで第一搬送路６１を露出開放した状態にすれば（図７参照）、その原稿９の一部が第一搬送路６１内に存在して露出していることもあるので、その露出部を手で掴んで引っ張れば容易に第二搬送路６２内から引き出される。このときにも、レジロール対６５の接触部ＮＰ３が開放された状態にあるので、その原稿は損傷することなく容易に取り除かれる。この他、この接触部開放機構７では、詰まった原稿の除去作業時に収容トレイ２を持ち上げた状態にするため、排出部５における排出口５１が外部に露出した状態となり、その排出口５１から突出している原稿の一端部が確認しやすくなるとともにその一端部を手でつまんで引き出す作業が行いやすくなる。
【００５５】
詰まった原稿９の取り除き作業が終了した後は、収容トレイ２を押し下げて原稿排出収容時の固定位置に戻した状態にする。
【００５６】
このときは、収容トレイ２が支持軸２３を支点として矢印Ａ２の方向に揺動することで、揺動アーム７１も支持軸２３を支点として同じ方向（矢印Ａ２の方向：この例では時計回りの方向）に揺動する。そして、この揺動アーム７１の揺動により、連結アーム７６が矢印Ｃ２で示すほぼ水平の方向に移動し、さらに、３つの揺動支持材７２，７３，７４が各加圧手段の押す力も受けつつ支持軸７５ａ，７５ｂ，７５ｃを支点として各ロール５２，６６やパッド３４に接触する方向（この例では時計回りの方向）に揺動する。この結果、図２に示すように、排出ロール対５２のロール５４、レジロール対６５のロール６７及びパッド部材３４が、その接触相手のロール６６、５３、３３に所定の圧力下でそれぞれ接触し、各接触部ＮＰ１〜３を形成した状態に戻される。
【００５７】
［第２の実施形態］
図６は、この発明の第２の実施形態に係る原稿搬送装置を示すものである。
【００５８】
この原稿搬送装置１Ｂは、第１の実施形態に係る原稿搬送装置１における接触部開放機構７に、開閉カバー１２を開ける方向Ｂ１に揺動させる動作により接触部ＮＰ１〜３を開放する機構８を付加したものである。第１の実施形態における構成部分と共通する部分については、図中に同じ符合を付し、その説明を必要な場合以外は省略する（これ以降の実施形態においても同様とする）。
【００５９】
この開閉カバー１２により動作する機構８は、開閉カバー１２の開閉動作に連動して固定支持軸８２を支点として揺動する異形揺動アーム８１を設け、その異形揺動アーム８１の移動側端部となる一端部８１ｂを前記接触部開放機構７における連結アーム７６の一端部（延長部）に接続したものである。また、この実施形態では、付加機構８の増設に伴い、接触部開放機構７における揺動アーム７１を第二揺動アーム８５に変更している。
【００６０】
異形揺動アーム８１は、開閉カバー１２の支持軸１３と連結アーム７６の延長した端部６７ｂとに接近した位置に配置される固定支持軸８２を支点として揺動するものであり、その一端部８１ａを開閉カバー１２の支点側端部と（長軸孔を介して）回転自在に取り付けているとともに、その他端部８１ｂを連結アーム７６の延長した一端部７６ｂに回転自在に（長軸孔を介して）取り付けている。
【００６１】
異形揺動アーム８１の開閉カバー１２との取り付けは、収容トレイ２を上方に持ち上げたときに接触部開放機構７の連結アーム７６が矢印Ｃ１の方向に移動することによって異形揺動アーム８１も矢印Ｄ１で示す方向に揺動するので、その揺動する異形揺動アーム８１を通して開閉カバー１２が開く方向の作用を受けないようにするため長い長軸孔８１ｃを介して開閉カバー１２の軸１４と接続されている。長軸孔８１ｃは、収容トレイ２の上方への揺動時に移動する連結アーム７６によって異形揺動アーム８１が揺動させられても開閉カバー１２の軸１４が軸孔内を移動するだけで開閉カバー１２に不要な力が伝わらない長さや形状になるよう形成されている。この実施形態では、長軸孔８１ｃは、固定支持軸８２を中心にして異形揺動アーム８１が連結アーム７６の移動で揺動する方向Ｄ１と反対の方向（この例では時計回りの方向）に沿って伸びる孔として形成されている。
【００６２】
第二揺動アーム８５は、収容トレイ２の支持軸２３よりも移動側端部２２ｂ側に少しずれた位置に配置される固定支持軸８６を支点として揺動するものであり、その支持台１０に接近する側に延びる端部８５ａを（長軸孔８５ｃを介して）連結アーム７６に回転自在に取り付けているとともに、その他端部８５ｂを収容トレイ２の支持軸２３とは反対側の位置に設けた軸８７に回転自在に取り付けている。
【００６３】
第二揺動アーム８５の収容トレイ２との取り付けは、開閉カバー１２を開ける方向（矢印Ｂ１の方向）に揺動させたときに前記付加機構８が作動して連結アーム７６が矢印Ｃ１の方向に移動することによって第二揺動アーム８５もほぼ矢印Ａ１の方向に揺動するので、その揺動する第二揺動アーム８５を通して収容トレイ２が持ち上げられる方向の作用を受けないようにするため長い長軸孔８５ｄを介して収容トレイ２の軸８７と接続されている。長軸孔８５ｄは、開閉カバー１２の開ける方向への揺動時に移動する連結アーム７６によって揺動板８５が揺動させられても収容トレイ２の軸８７が軸孔内を移動するだけで収容トレイ２に不要な力が伝わらないような長さや形状で形成されている。この実施形態では、長軸孔８５ｄは、固定支持軸８６を中心にして第二揺動アーム８５が連結アーム７６の移動で揺動する矢印Ａ１の方向と反対の方向（この例では矢印Ａ２の方向で、時計回りの方向）に沿って伸びる孔として形成されている。
【００６４】
そして、このような機構８が付加された接触部開放機構７は、以下のように作動する。
【００６５】
はじめに、開閉カバー１２を開けたときの動作について説明する。開閉カバー１２を開けた状態にすると、図６に点線で示すように、開閉カバー１２が支持軸１３を指定として矢印Ｂ１の方向に揺動し、不図示の位置保持機構により所定の開時の固定位置でそれ以上の揺動が抑止される。
【００６６】
この際、図６に点線で示すように、異形揺動アーム８１が、開閉カバー１２の矢印Ｂ１で示す方向に揺動することに伴って、固定支持軸８２を支点としてほぼ同じ方向（矢印Ｄ１の方向：この例では反時計回りの方向）に揺動する。これにより、これ以降は、接触部開放機構７の収容トレイ１２の揺動時における動作と同様に、その揺動板８１に連結されている連結アーム７６が矢印Ｃ１で示すほぼ水平の方向に移動し、さらに、その連結アーム７６に連結されている３つの揺動支持材７２，７３，７４が各加圧手段の押す力に抗して支持軸７５ａ，７５ｂ，７５ｃを中心に矢印で示す方向に揺動する。
【００６７】
この結果、図７に示すように、開閉カバー１２の矢印Ｂ１で示す方向への揺動によっても、排出ロール対５２のロール５４、レジロール対６５のロール６７及びパッド部材３４が、その接触相手のロール６６、５３、３３からそれぞれ離間した状態となり、その各接触部ＮＰ（２，３，１）がすべて開放された状態になる。これにより、原稿搬送路６内で詰まった原稿９は、各接触部ＮＰ１〜３のいずれにおいても挟まれていない状態になるので、不要な折れ曲がりや筋がついたり、破れたりする等の損傷を受けることなく容易に取り除かれる。
【００６８】
また、この場合は、開閉カバー１２を開けることで、図７に示すように、そのカバーの内面側に一体に取り付けられた第一搬送路６１の通路形成部材６３ａがカバー１２と共に持ち上げられるので、その第一搬送路６１が外部に露出した状態になる。これにより、例えば、詰まった原稿９の送り方向先端部が第二搬送路６２内にあってその後端部が第一搬送路６１内に存在しているときには、その原稿の後端部を容易に視認できるとともに、手でつまんで取り除く作業が行いやすくなる。
【００６９】
一方、この機構８が付加された接触部開放機構７においては、収容トレイ２を上方（矢印Ａ１の方向）に揺動させると、第１の実施形態で説明したように接触部開放機構７が作動して排出ロール対５２、レジロール対６５及び送出装置３１の各接触部ＮＰ（２，３，１）をすべて開放した状態にすることができる。
【００７０】
このため、原稿搬送装置１Ｂにおいては、例えば、詰まった原稿９の一端部が送出部３の入口側か又は排出部５の排出口５１側から突出している状況の場合には、その原稿の除去作業を行うに際しては収容トレイ２を上方に揺動させるようにする。これにより、特に、排出部５の排出口５１を露出させた状態にすることが可能となり、前述したようにその排出口５１から突出する原稿の一端部の確認とその除去作業がしやすくなる。
【００７１】
これに対し、例えば、詰まった原稿の一端部が送出部３の入口側及び排出部５の排出口５１側の双方から突出していない場合には、その除去作業を行うに際しては、収容トレイ２を上方に揺動させるのでなく開閉カバー１２を開ける方向に揺動させることができる。これにより、付加機構８を介して接触部開口機構７を収容トレイ２の揺動で作動させたときと同様に作動させることができ、それに加えて前述したように原稿搬送路の第一搬送路６１内に詰まって存在する原稿の確認とその取り除き作業を効率よく行うことができる。
【００７２】
このように原稿搬送装置１Ｂでは、収容トレイ２の上方向への揺動と開閉カバー１２の開ける方向への揺動のどちらでも最終的に接触部開放機構７を作動させることができる。また、収容トレイ２を上方向に揺動させた場合においても、連結アーム７６が移動して異形揺動アーム８１も矢印Ｄ１の方向に揺動するが、前記したよう異形揺動アーム８１に長軸孔８１ｃが形成されているので異形揺動アーム８１が揺動するだけで開閉カバー１２が開く方向Ｂ１に同時に揺動されてしまうことがない。反対に、開閉カバー１２を開ける方向Ｂ１に揺動させた場合でも、連結アーム７６が移動して第２揺動アーム８５も矢印Ａ１の方向に揺動するが、前記したよう第２揺動アーム８５に長軸孔８５ｄが形成されているので第２揺動アーム８５が揺動するだけで収容トレイ２が上方向Ａ１に同時に揺動されてしまうことがない。
【００７３】
詰まった原稿９の取り除き作業が終了した後は、開閉カバー１２を閉じて原稿搬送路等を隠蔽した状態にする。このときは、開閉カバー１２が支持軸１３を支点として矢印Ｂ２の方向に揺動することで、異形揺動アーム８１も固定支持軸８２を支点として矢印ｄ２の方向（この例では時計回りの方向）に揺動し、連結アーム７６が矢印Ｃ２で示すほぼ水平の方向に移動する。これ以後は、原稿の取り除き作業が終了した後に収容トレイ２を元の状態に戻した場合と同様に、各接触部ＮＰ１〜３を形成した状態に戻される。
【００７４】
［他の実施形態］
第１及び第２の実施形態に係る原稿搬送装置１，１Ｂにおいては、接触部開放機構７による接触部ＮＰの開放状態として、接触部ＮＰを構成するロール間又はロールとパッド部材間における接触圧を原稿搬送時よりも低い接触圧の状態に保持することにしてもよい。
【００７５】
この場合は、例えば、接触部開放機構７の作動により揺動する揺動支持材７２，７３，７４の揺動量を最終的に調整することで、その各揺動支持材７２，７３，７４の揺動により変位させるロール５４，６７とパッド部材４３の変位量を小さくして、その接触相手のロール５３、６７、３３と離間することはないが各接触部ＮＰの接触圧が低下する状態に保持するように構成すればよい。
【００７６】
また、第１及び第２の実施形態においては、接触部開放機構７により開放する対象の接触部ＮＰを、ロール対５２，６５の接触部ＮＰ２，３に限定してもかまわない。この場合は、例えばパッド部材３４を、接触部開放機構７を構成する揺動支持材７４から取り外せばよい。さらに、原稿搬送路６においてロール対５２，６５以外のロール対がさらに配置される場合には、その追加で配置されるロール対の一方を前記揺動支持材７２等のような揺動支持材の一端部に回転自在に取り付けたうえで、その揺動支持材の他端部を連結アーム７６に回転自在に接続させればよい。また、ロール対については、駆動ロールに対して１つの従動ロールを組み合わせたもの（所謂２連のロール対）に限らず２以上の従動ロールを組み合わせたロール対（例えば３連のロール対）であってもよい。
【００７７】
さらに、第１及び第２の実施形態においては、接触部開放機構７としてリンク機構で構成した場合について説明したが、これに限定されるものでない。例えば、リンク機構にカム機構や、ラック・ピニオン機構などを組み合わせて構成することができる。また、接触部開放機構７は、有効であれば、収容トレイ２を下方向（矢印Ａ１の方向）に揺動させたとき作動するように構成してもかまわない。
【００７８】
この他にも、第１及び第２の実施形態においては、接触部開放機構７を作動させるために収容トレイ２を開けて所定の位置に保持する構成例について例示したが、接触部開放機構７は収容トレイ２を手で所定の高さまで持ち上げてそのまま手で保った状態にして作動させる（使用する）ようにしても差し支えない。
【００７９】
このような原稿搬送装置１，１Ｂは、それ自体に読取手段が装備されていない場合には、原稿読取装置と組み合わせて使用される。
【図面の簡単な説明】
【００８０】
【図１】第１の実施形態等に係る原稿搬送装置の基本構成を示す概略説明図である。
【図２】図１の原稿搬送装置に接触部開放機構が装備されているときの状態を示す概略説明図である。
【図３】収容トレイの固定位置を保持する機構とその動作状態を示す概略説明図である。
【図４】図３の機構を示す一部断面上面図である。
【図５】図２の原稿搬送装置の接触部開放機構が作動したときの状態を示す説明図である。
【図６】第２の実施形態等に係る原稿搬送装置の付加機構を含む接触部開放機構が装備されているときの状態を示す概略説明図である。
【図７】図６の原稿搬送装置の付加機構及び接触部開放機構が作動したときの状態を示す説明図である。
【符号の説明】
【００８１】
１，１Ｂ…原稿搬送装置、２…収容トレイ、３…送出部、４…読取部、５…排出部、６…原稿搬送路、７…接触部開放機構、８…付加機構、９…原稿、１０…筐体（装置本体）、１２…開閉カバー、１３，２３…支持軸（支点）、３３…搬送ロール、３４…パッド部材（接触部材）、５２…排出ロール対（ロール対）、６５…レジロール対（ロール対）、７１…揺動アーム（リンク機構の一部）、７２，７３，７４…揺動支持材（リンク機構の一部）、８１…異形揺動アーム（リンク機構の一部）、８５…第二揺動アーム（リンク機構の一部）、Ａ１…上方向（一方向）、Ｂ１…開ける方向、ＮＰ…接触部。
【図１】
2009227440.tif 000003
【図２】
2009227440.tif 000004
【図３】
2009227440.tif 000005
【図４】
2009227440.tif 000006
【図５】
2009227440.tif 000007
【図６】
2009227440.tif 000008
【図７】
2009227440.tif 000009